(57)【要約】【課題】  カラーディスプレイのリアルカラーイコライズ生産方法、生産システム及び検出方法の提供。【解決手段】  標準規格の画像パターンジェネレータを使用してディスプレイに画像パターンを発生させ、並びに画像キャプチャ装置で画像パターンのカラーをキャプチャし、さらにサーバーで画像キャプチャ装置のキャプチャしたカラーによりリアルカラーイコライズカラーパラメータを計算し、並びにそれをディスプレイのメモリ中に保存し、さらにディスプレイの表示するカラーに対して色相を検出し、こうして各ディスプレイの表示するカラーをいずれも一致させ、ディスプレイによる違いを発生させない。【選択図】        図１
2005176289.tif 000002
【特許請求の範囲】
【請求項１】
カラーディスプレイのリアルカラーイコライズ生産システムにおいて、
サーバー、画像信号ジェネレータ、被測定ディスプレイ、画像キャプチャ装置、記録器を具え、
該サーバーは画像トリガ信号を出力し並びに画像キャプチャ信号を入力し、並びに画像キャプチャ信号が対応するカラーデータに対してリアルカラーイコライズ演算を行ないリアルカラーイコライズカラーパラメータを取得し、並びにそれを出力し、
該画像信号ジェネレータは画像トリガ信号により画像パターン信号を出力し、
該被測定ディスプレイは、画像パターン信号により対応する画像パターンを表示し、
該画像キャプチャ装置は画像パターン信号に対応する画像パターンを検出して画像キャプチャ信号を生成し、並びにそれを出力し、
該記録器は、リアルカラーイコライズカラーパラメータを入力し並びにそれを被測定ディスプレイ内部のメモリに保存し、
そのうち、リアルカラーイコライズカラーパラメータは延伸表示識別データ中に保存されることを特徴とする、カラーディスプレイのリアルカラーイコライズ生産システム。
【請求項２】
請求項１記載のカラーディスプレイのリアルカラーイコライズ生産システムにおいて、メモリがＥＥＰＲＯＭ、フラッシュメモリのいずれかとされたことを特徴とする、カラーディスプレイのリアルカラーイコライズ生産システム。
【請求項３】
請求項１記載のカラーディスプレイのリアルカラーイコライズ生産システムにおいて、画像信号ジェネレータが第２接続インタフェースによりサーバーに接続されたことを特徴とする、カラーディスプレイのリアルカラーイコライズ生産システム。
【請求項４】
請求項１記載のカラーディスプレイのリアルカラーイコライズ生産システムにおいて、第１接続インタフェースがＲＳ−２３２、ＵＳＢ、或いはインターネットポートの接続インタフェースとされたことを特徴とする、カラーディスプレイのリアルカラーイコライズ生産システム。
【請求項５】
請求項１記載のカラーディスプレイのリアルカラーイコライズ生産システムにおいて、画像キャプチャ装置が第１接続インタフェースによりサーバーに接続されたことを特徴とする、カラーディスプレイのリアルカラーイコライズ生産システム。
【請求項６】
請求項１記載のカラーディスプレイのリアルカラーイコライズ生産システムにおいて、画像キャプチャ装置がＲＳ−２３２、ＵＳＢ、或いはインターネットポートの接続インタフェースとされたことを特徴とする、カラーディスプレイのリアルカラーイコライズ生産システム。
【請求項７】
請求項１記載のカラーディスプレイのリアルカラーイコライズ生産システムにおいて、画像キャプチャ装置がデジタルカラー検出器とされたことを特徴とする、カラーディスプレイのリアルカラーイコライズ生産システム。
【請求項８】
被測定ディスプレイが表示する画像のカラーをリアルカラーイコライズカラーの規範に符合させるのに用いられるカラーディスプレイのリアルカラーイコライズ生産方法において、
（Ａ）画像トリガ信号を画像パターンジェネレータに出力するステップ、
（Ｂ）画像パターンジェネレータが画像パターン信号を被測定ディスプレイに出力するステップ、
（Ｃ）被測定ディスプレイが表示する画像パターンの画像カラーを検出し並びにそのカラーデータをキャプチャするステップ、
（Ｄ）画像パターン信号の電圧準位が最大値であるかを判断し、成立すれば（Ｇ）のステップを実行するステップ、
（Ｅ）画像パターン信号の電圧準位を調整し、並びに（Ｃ）のステップを実行するステップ、
（Ｆ）カラーデータが白色パターンに対応するかを判断し、不成立であれば画像パターン信号を変更し並びに（Ｂ）のステップを実行するステップ、
（Ｇ）カラーデータをリアルカラーイコライズカラーパラメータに変換するステップ、  （Ｈ）リアルカラーイコライズカラーパラメータを被測定ディスプレイのメモリに保存するステップ、
以上のステップを具え、そのうち、リアルカラーイコライズカラーパラメータは延伸表示識別データ（ＥＤＩＤ）の形式に符合することを特徴とする、カラーディスプレイのリアルカラーイコライズ生産方法。
【請求項９】
請求項８記載のカラーディスプレイのリアルカラーイコライズ生産方法において、画像パターンが赤色、青色、緑色、或いは白色ブロックとされたことを特徴とする、カラーディスプレイのリアルカラーイコライズ生産方法。
【請求項１０】
請求項８記載のカラーディスプレイのリアルカラーイコライズ生産方法において、画像パターン信号の開始電圧準位が０ボルトとされたことを特徴とする、カラーディスプレイのリアルカラーイコライズ生産方法。
【請求項１１】
請求項１０記載のカラーディスプレイのリアルカラーイコライズ生産方法において、画像パターン信号の電圧準位を毎回０．１ボルト増加するよう調整し、該画像パターン信号の電圧準位の最大値を０．７ボルトとすることを特徴とする、カラーディスプレイのリアルカラーイコライズ生産方法。
【請求項１２】
請求項８記載のカラーディスプレイのリアルカラーイコライズ生産方法において、メモリがＥＥＰＲＯＭ、フラッシュメモリのいずれかとされたことを特徴とする、カラーディスプレイのリアルカラーイコライズ生産方法。
【請求項１３】
被測定ディスプレイが表示する画像カラーがリアルカラーイコライズカラーの規範に符合するかを判断するのに用いられるカラーディスプレイのリアルカラーイコライズ検出方法であり、
（Ａ）画像パターンジェネレータが画像パターン信号を被測定ディスプレイに出力するステップ、
（Ｂ）被測定ディスプレイが表示する画像パターンの画像カラーを検出し、並びにそのカラーデータをキャプチャするステップ、
（Ｃ）該画像パターン信号の電圧準位が最大値であるかを判断し、もし成立すれば（Ｅ）のステップを実行するステップ、
（Ｄ）画像パターン信号の電圧準位を調整し、並びに（Ｂ）のステップを実行するステップ、
（Ｅ）カラーデータが白色パターンに対応するかを判断し、不成立であれば画像パターン信号を変更し、並びに（Ａ）のステップを実行するステップ、
（Ｆ）カラーデータをリアルカラーイコライズカラーパラメータに変換するステップ、  （Ｇ）リアルカラーイコライズカラーパラメータが特定リアルカラーイコライズカラーパラメータに等しいかを判断し、不成立であればエラー情報を表示するステップ、
以上を具え、そのうちリアルカラーイコライズカラーパラメータ及び特定リアルカラーイコライズカラーパラメータは延伸表示識別データの形式に符合することを特徴とする、カラーディスプレイのリアルカラーイコライズ検出方法。
【請求項１４】
請求項１３記載のカラーディスプレイのリアルカラーイコライズ検出方法において、画像パターンが赤色、青色、緑色、或いは白色ブロックとされたことを特徴とする、カラーディスプレイのリアルカラーイコライズ検出方法。
【請求項１５】
請求項１３記載のカラーディスプレイのリアルカラーイコライズ検出方法において、画像パターン信号の開始電圧準位が０ボルトとされたことを特徴とする、カラーディスプレイのリアルカラーイコライズ検出方法。
【請求項１６】
請求項１５記載のカラーディスプレイのリアルカラーイコライズ検出方法において、画像パターン信号の電圧準位を毎回０．１ボルト増加するよう調整し、該画像パターン信号の電圧準位の最大値を０．７ボルトとすることを特徴とする、カラーディスプレイのリアルカラーイコライズ検出方法。
【請求項１７】
請求項１３記載のカラーディスプレイのリアルカラーイコライズ検出方法において、メモリがＥＥＰＲＯＭ、フラッシュメモリのいずれかとされたことを特徴とする、カラーディスプレイのリアルカラーイコライズ検出方法。
【発明の詳細な説明】
【技術分野】
【０００１】
本発明はカラーディスプレイのリアルカラーイコライズ生産方法、生産システム及び検出方法に関する。
【背景技術】
【０００２】
各ディスプレイが表示するカラーは、ディスプレイ内部のメモリの保存するリアルカラーイコライズカラーパラメータが異なることにより、ディスプレイ間で表示するカラーが異なる。
【０００３】
インターネットの発達により、多くのメーカーが製品カタログをホームページ上に置き、使用者の閲覧に供している。使用者はインターネットブラウザにより各種のカタログを観賞でき、並びに電子消費の方式でメーカーに商品をオーダーできる。しかし、各ディスプレイの表示するカラーは一致せず、例えば赤に偏ったり、緑に偏ったり、青に偏ったカラーとなり、商品のリアルカラーを表示できない。このため、使用者が商品を受け取った後にカラーが予期したものと異なり、返品するという状況がよく発生し、これは使用者に面倒をもたらすだけでなく、メーカーにとっても面倒をもたらす。
【発明の開示】
【発明が解決しようとする課題】
【０００４】
本発明の主要な目的は、リアルカラーイコライズカラーパラメータをディスプレイ内部のメモリに保存して、ディスプレイの発生するカラーをリアルカラーイコライズカラーの規範に符合させられるようにする一種のカラーディスプレイのリアルカラーイコライズ生産方法及び生産システムを提供することにある。
【０００５】
本発明のもう一つの目的は、ディスプレイの発生するカラーがリアルカラーイコライズカラーの規範に符合するか否かを検出できるカラーディスプレイのリアルカラーイコライズ検出方法を提供することにある。
【課題を解決するための手段】
【０００６】
請求項１の発明は、カラーディスプレイのリアルカラーイコライズ生産システムにおいて、
サーバー、画像信号ジェネレータ、被測定ディスプレイ、画像キャプチャ装置、記録器を具え、
該サーバーは画像トリガ信号を出力し並びに画像キャプチャ信号を入力し、並びに画像キャプチャ信号が対応するカラーデータに対してリアルカラーイコライズ演算を行ないリアルカラーイコライズカラーパラメータを取得し、並びにそれを出力し、
該画像信号ジェネレータは画像トリガ信号により画像パターン信号を出力し、
該被測定ディスプレイは、画像パターン信号により対応する画像パターンを表示し、
該画像キャプチャ装置は画像パターン信号に対応する画像パターンを検出して画像キャプチャ信号を生成し、並びにそれを出力し、
該記録器は、リアルカラーイコライズカラーパラメータを入力し並びにそれを被測定ディスプレイ内部のメモリに保存し、
そのうち、リアルカラーイコライズカラーパラメータは延伸表示識別データ中に保存されることを特徴とする、カラーディスプレイのリアルカラーイコライズ生産システムとしている。
請求項２の発明は、請求項１記載のカラーディスプレイのリアルカラーイコライズ生産システムにおいて、メモリがＥＥＰＲＯＭ、フラッシュメモリのいずれかとされたことを特徴とする、カラーディスプレイのリアルカラーイコライズ生産システムとしている。
請求項３の発明は、請求項１記載のカラーディスプレイのリアルカラーイコライズ生産システムにおいて、画像信号ジェネレータが第２接続インタフェースによりサーバーに接続されたことを特徴とする、カラーディスプレイのリアルカラーイコライズ生産システムとしている。
請求項４の発明は、請求項１記載のカラーディスプレイのリアルカラーイコライズ生産システムにおいて、第１接続インタフェースがＲＳ−２３２、ＵＳＢ、或いはインターネットポートの接続インタフェースとされたことを特徴とする、カラーディスプレイのリアルカラーイコライズ生産システムとしている。
請求項５の発明は、請求項１記載のカラーディスプレイのリアルカラーイコライズ生産システムにおいて、画像キャプチャ装置が第１接続インタフェースによりサーバーに接続されたことを特徴とする、カラーディスプレイのリアルカラーイコライズ生産システムとしている。
請求項６の発明は、請求項１記載のカラーディスプレイのリアルカラーイコライズ生産システムにおいて、画像キャプチャ装置がＲＳ−２３２、ＵＳＢ、或いはインターネットポートの接続インタフェースとされたことを特徴とする、カラーディスプレイのリアルカラーイコライズ生産システムとしている。
請求項７の発明は、請求項１記載のカラーディスプレイのリアルカラーイコライズ生産システムにおいて、画像キャプチャ装置がデジタルカラー検出器とされたことを特徴とする、カラーディスプレイのリアルカラーイコライズ生産システムとしている。
請求項８の発明は、被測定ディスプレイが表示する画像のカラーをリアルカラーイコライズカラーの規範に符合させるのに用いられるカラーディスプレイのリアルカラーイコライズ生産方法において、
（Ａ）画像トリガ信号を画像パターンジェネレータに出力するステップ、
（Ｂ）画像パターンジェネレータが画像パターン信号を被測定ディスプレイに出力するステップ、
（Ｃ）被測定ディスプレイが表示する画像パターンの画像カラーを検出し並びにそのカラーデータをキャプチャするステップ、
（Ｄ）画像パターン信号の電圧準位が最大値であるかを判断し、成立すれば（Ｇ）のステップを実行するステップ、
（Ｅ）画像パターン信号の電圧準位を調整し、並びに（Ｃ）のステップを実行するステップ、
（Ｆ）カラーデータが白色パターンに対応するかを判断し、不成立であれば画像パターン信号を変更し並びに（Ｂ）のステップを実行するステップ、
（Ｇ）カラーデータをリアルカラーイコライズカラーパラメータに変換するステップ、  （Ｈ）リアルカラーイコライズカラーパラメータを被測定ディスプレイのメモリに保存するステップ、
以上のステップを具え、そのうち、リアルカラーイコライズカラーパラメータは延伸表示識別データ（ＥＤＩＤ）の形式に符合することを特徴とする、カラーディスプレイのリアルカラーイコライズ生産方法としている。
としている。
請求項９の発明は、請求項８記載のカラーディスプレイのリアルカラーイコライズ生産方法において、画像パターンが赤色、青色、緑色、或いは白色ブロックとされたことを特徴とする、カラーディスプレイのリアルカラーイコライズ生産方法としている。
請求項１０の発明は、請求項８記載のカラーディスプレイのリアルカラーイコライズ生産方法において、画像パターン信号の開始電圧準位が０ボルトとされたことを特徴とする、カラーディスプレイのリアルカラーイコライズ生産方法としている。
請求項１１の発明は、請求項１０記載のカラーディスプレイのリアルカラーイコライズ生産方法において、画像パターン信号の電圧準位を毎回０．１ボルト増加するよう調整し、該画像パターン信号の電圧準位の最大値を０．７ボルトとすることを特徴とする、カラーディスプレイのリアルカラーイコライズ生産方法としている。
請求項１２の発明は、請求項８記載のカラーディスプレイのリアルカラーイコライズ生産方法において、メモリがＥＥＰＲＯＭ、フラッシュメモリのいずれかとされたことを特徴とする、カラーディスプレイのリアルカラーイコライズ生産方法としている。
請求項１３の発明は、被測定ディスプレイが表示する画像カラーがリアルカラーイコライズカラーの規範に符合するかを判断するのに用いられるカラーディスプレイのリアルカラーイコライズ検出方法であり、
（Ａ）画像パターンジェネレータが画像パターン信号を被測定ディスプレイに出力するステップ、
（Ｂ）被測定ディスプレイが表示する画像パターンの画像カラーを検出し、並びにそのカラーデータをキャプチャするステップ、
（Ｃ）該画像パターン信号の電圧準位が最大値であるかを判断し、もし成立すれば（Ｅ）のステップを実行するステップ、
（Ｄ）画像パターン信号の電圧準位を調整し、並びに（Ｂ）のステップを実行するステップ、
（Ｅ）カラーデータが白色パターンに対応するかを判断し、不成立であれば画像パターン信号を変更し、並びに（Ａ）のステップを実行するステップ、
（Ｆ）カラーデータをリアルカラーイコライズカラーパラメータに変換するステップ、  （Ｇ）リアルカラーイコライズカラーパラメータが特定リアルカラーイコライズカラーパラメータに等しいかを判断し、不成立であればエラー情報を表示するステップ、
以上を具え、そのうちリアルカラーイコライズカラーパラメータ及び特定リアルカラーイコライズカラーパラメータは延伸表示識別データの形式に符合することを特徴とする、カラーディスプレイのリアルカラーイコライズ検出方法としている。
請求項１４の発明は、請求項１３記載のカラーディスプレイのリアルカラーイコライズ検出方法において、画像パターンが赤色、青色、緑色、或いは白色ブロックとされたことを特徴とする、カラーディスプレイのリアルカラーイコライズ検出方法としている。
請求項１５の発明は、請求項１３記載のカラーディスプレイのリアルカラーイコライズ検出方法において、画像パターン信号の開始電圧準位が０ボルトとされたことを特徴とする、カラーディスプレイのリアルカラーイコライズ検出方法としている。
請求項１６の発明は、請求項１５記載のカラーディスプレイのリアルカラーイコライズ検出方法において、画像パターン信号の電圧準位を毎回０．１ボルト増加するよう調整し、該画像パターン信号の電圧準位の最大値を０．７ボルトとすることを特徴とする、カラーディスプレイのリアルカラーイコライズ検出方法としている。
請求項１７の発明は、請求項１３記載のカラーディスプレイのリアルカラーイコライズ検出方法において、メモリがＥＥＰＲＯＭ、フラッシュメモリのいずれかとされたことを特徴とする、カラーディスプレイのリアルカラーイコライズ検出方法としている。
【発明の効果】
【０００７】
本発明は、リアルカラーイコライズカラーパラメータをディスプレイ内部のメモリに保存して、ディスプレイの発生するカラーをリアルカラーイコライズカラーの規範に符合させられるようにする一種のカラーディスプレイのリアルカラーイコライズ生産方法及び生産システムを提供している。
【０００８】
本発明はまた、ディスプレイの発生するカラーがリアルカラーイコライズカラーの規範に符合するか否かを検出できるカラーディスプレイのリアルカラーイコライズ検出方法を提供している。
【発明を実施するための最良の形態】
【０００９】
本発明はカラーディスプレイのリアルカラーイコライズ生産システムを提供し、それは、サーバー、画像信号ジェネレータ、被測定ディスプレイ、画像キャプチャ装置、記録器を具えている。該サーバーは画像トリガ信号を出力し並びに画像キャプチャ信号を入力し、並びに画像キャプチャ信号が対応するカラーデータに対してリアルカラーイコライズ演算を行ないリアルカラーイコライズカラーパラメータを取得し、並びにそれを出力する。該画像信号ジェネレータは画像トリガ信号により画像パターン信号を出力する。該被測定ディスプレイは、画像パターン信号により対応する画像パターンを表示する。該画像キャプチャ装置は画像パターン信号に対応する画像パターンを検出して画像キャプチャ信号を生成し、並びにそれを出力する。該記録器は、リアルカラーイコライズカラーパラメータを入力し並びにそれを被測定ディスプレイ内部のメモリに保存する。そのうち、リアルカラーイコライズカラーパラメータは延伸表示識別データ中に保存される。
【００１０】
本発明はまた一種のカラーディスプレイのリアルカラーイコライズ生産方法を提供する。この方法は被測定ディスプレイの画像カラーがリアルカラーイコライズカラーの規範に符合させるのに用いられ、（Ａ）画像トリガ信号を画像パターンジェネレータに出力するステップ、（Ｂ）画像パターンジェネレータが画像パターン信号を被測定ディスプレイに出力するステップ、（Ｃ）被測定ディスプレイが表示する画像パターンの画像カラーを検出し並びにそのカラーデータをキャプチャするステップ、（Ｄ）画像パターン信号の電圧準位が最大値であるかを判断し、成立すれば（Ｇ）のステップを実行するステップ、（Ｅ）画像パターン信号の電圧準位を調整し、並びに（Ｃ）のステップを実行するステップ、（Ｆ）カラーデータが白色パターンに対応するかを判断し、不成立であれば画像パターン信号を変更し並びに（Ｂ）のステップを実行するステップ、（Ｇ）カラーデータをリアルカラーイコライズカラーパラメータに変換するステップ、（Ｈ）リアルカラーイコライズカラーパラメータを被測定ディスプレイのメモリに保存するステップ、以上のステップを具え、そのうち、リアルカラーイコライズカラーパラメータは延伸表示識別データの形式に符合することを特徴とする。
【００１１】
本発明はまたカラーディスプレイのリアルカラーイコライズ検出方法を提供し、それは被測定ディスプレイが表示する画像カラーがリアルカラーイコライズカラーの規範に符合するかを検出するのに用いられ、それは、（Ａ）画像パターンジェネレータが画像パターン信号を被測定ディスプレイに出力するステップ、（Ｂ）被測定ディスプレイが表示する画像パターンの画像カラーを検出し、並びにそのカラーデータをキャプチャするステップ、（Ｃ）該画像パターン信号の電圧準位が最大値であるかを判断し、もし成立すれば（Ｅ）のステップを実行するステップ、（Ｄ）画像パターン信号の電圧準位を調整し、並びに（Ｂ）のステップを実行するステップ、（Ｅ）カラーデータが白色パターンに対応するかを判断し、不成立であれば画像パターン信号を変更し、並びに（Ａ）のステップを実行するステップ、（Ｆ）カラーデータをリアルカラーイコライズカラーパラメータに変換するステップ、（Ｇ）リアルカラーイコライズカラーパラメータが特定リアルカラーイコライズカラーパラメータに等しいかを判断し、不成立であればエラー情報を表示するステップ、以上を具え、そのうちリアルカラーイコライズカラーパラメータ及び特定リアルカラーイコライズカラーパラメータは延伸表示識別データの形式に符合することを特徴とする。
【実施例１】
【００１２】
図１に示されるように、サーバー１０はモニタ２０に接続され、画像キャプチャ装置３０、画像パターンジェネレータ３２、記録器３４、及び被測定ディスプレイ４０に接続されている。画像パターンジェネレータ３２及び記録器３４の別橋はさらに被測定ディスプレイ４０に接続されている。画像キャプチャ装置３０は好ましくはカラー検出器とされる。
【００１３】
図２に示されるように、サーバー１０は内部にＣＰＵ１２、第１接続インタフェース１６、第２接続インタフェース１４、記録器接続インタフェース１８を具えている。第１接続インタフェース１６はＲＳ−２３２ポート、プリンタ接続ポート、ＵＳＢポート、イーサネット（登録商標）ポート等の接続インタフェースとされうるが、好ましくはＲＳ−２３２ポートとされる。第２接続インタフェース１４は好ましくはＲＳ−２３２ポートとされ、並びに画像キャプチャ装置３０に接続される。記録器接続インタフェース１８は内部集積回路（Ｉｎｔｅｒ−Ｉｎｔｅｇｒａｔｅｄ  Ｃｉｒｃｕｉｔ）の接続インタフェースによりＣＰＵ１２に接続され、その出力インタフェースはＲＳ−２３２ポート、プリンタ接続ポート、ＵＳＢポート、イーサネット（登録商標）ポートの接続インタフェースとされうるが、好ましくはプリンタ接続ポートとされ、並びに記録器３４に接続されている。記録器３４の別端は被測定ディスプレイ４０のメモリ４６に接続されている。
【００１４】
図３は本発明のカラーディスプレイのリアルカラーイコライズ生産方法のフローチャートであり、以下のステップを含む：
ステップＳ４０：  システム初期化。サーバー１０がリセット信号を出力して画像キャプチャ装置３０及び画像パターンジェネレータ３２を初期化する。
ステップＳ４１：  画像トリガ信号を画像パターンジェネレータ３２に出力する。画像トリガ信号はサーバー１０のＣＰＵ１２より出力され、並びに第２接続インタフェース１４により画像パターンジェネレータ３２に伝送される。
ステップＳ４２：  画像パターンジェネレータ３２が画像パターン信号を被測定ディスプレイ４０に出力する。画像パターンジェネレータ３２が画像トリガ信号を受け取った時、異なる画像パターンに対応する画像パターン信号を順に発生し被測定ディスプレイ４０のマイクロプロセッサ４２に送るか、或いは異なる画像トリガ信号により異なる画像パターンの画像パターン信号を生成して被測定ディスプレイ４０のマイクロプロセッサ４２に送る。マイクロプロセッサ４２は画像パターン信号及びメモリ４６に保存された画像パラメータによりディスプレイパネル４４の運転を制御し、ディスプレイパネル４４の表示する画像パターンを画像パターン信号に対応させる。そのうち、画像パターンジェネレータ３２は標準画像パターンの出力装置とされて、赤色ブロック、緑色ブロック、青色ブロック、或いは白色ブロックに対応する画像パターン信号を生成できるが、これに限定されるものではない。
ステップＳ４３：  被測定ディスプレイ４０の表示する画像パターンを検出してカラーデータをキャプチャする。ディスプレイパネル４４が画像パターンを表示することにより、画像キャプチャ装置３０が画像パターンをキャプチャし並びにこの画像パターンに対応する画像キャプチャ信号を第２接続インタフェース１４に出力し、さらにＣＰＵ１２に出力する。ＣＰＵ１２は画像キャプチャ信号に対してカラーデータの演算を行ない、この画像パターンのカラーに対応するカラーデータをキャプチャする。例えば画像パターンが赤色ブロック、緑色ブロック、及び青色ブロックとされれば、ＣＰＵ１２は赤色、緑色、及び青色に対応する三つのカラーデータを計算し、画像キャプチャ信号が白色のカラーデータに対応する時、ＣＰＵ１２は画像キャプチャ信号に対する演算を停止し、並びにリアルカラーイコライズカラーの規範によりこの三つのカラーデータが対応するリアルカラーイコライズカラーパラメータを計算し、並びに記録器接続インタフェース１８によりこのリアルカラーイコライズカラーパラメータを記録器３４に出力する。
ステップＳ４４：  画像パターン信号の電圧準位が最大値であるかを判断し、もし成立すればステップＳ４６を実行する。画像パターンジェネレータ３２が異なる画像パターンに対応する画像パターン信号を出力する時は、ステップ駆動の方式で画像パターン信号を出力する。例えば画像パターンジェネレータ３２が第１の画像パターン信号を生成する時は、０ボルト（開始値）駆動電圧を使用し、画像キャプチャ装置３０がカラーデータをキャプチャした後、更に駆動電圧が０．７ボルト（最大値）になるまで毎回０．１ボルト増加した駆動電圧で画像パターン信号を駆動する。毎回駆動電圧は０．１ボルト増加し、ゆえにいわゆるステップ駆動と称される。しかし、毎回の増加或いは減少の幅はこれに限定されるわけではない。
ステップＳ４５：  画像パターン信号の電圧準位を増す。画像パターン信号の電圧準位を増す方式はステップＳ４４に述べた。
ステップＳ４６：  カラーデータが白色ブロックに対応するかを判断し、もし成立すればステップＳ４８を実行する。本実施例では白色ブロックを画像キャプチャ信号計算停止の根拠としており、ゆえにＣＰＵ１２は必要に対してカラーデータの判断を行なう。
ステップＳ４７：  画像パターン信号を変更する。本実施例では順に赤色ブロック、緑色ブロック、及び青色ブロックの画像パターンを出力するため、画像パターンジェネレータ３２が０．７ボルトの駆動電圧で対応する赤色ブロックの画像パターン信号を駆動し、画像キャプチャ装置３０がカラーデータをキャプチャすると、画像パターンジェネレータ３２が０ボルトの駆動電圧で対応する緑色ブロックの画像パターン信号を駆動し、以下はこれにより類推されるとおりであるが、これに限定されるものではない。
ステップＳ４８：  カラーデータをリアルカラーイコライズカラーパラメータに変換する。特定の変換公式により各カラーデータに対して変換を行ない、リアルカラーイコライズカラーパラメータを得る。
ステップＳ４９：  リアルカラーイコライズカラーパラメータを被測定ディスプレイ４０のメモリ４６に保存する。記録器３４はこのリアルカラーイコライズカラーパラメータを被測定ディスプレイ４０のメモリ４６に記録する。その後、被測定ディスプレイ４０がカラー表示する時、マイクロプロセッサ４２はリアルカラーイコライズカラーパラメータに基づき画像パターンのカラーを表示する。リアルカラーイコライズカラーパラメータはリアルカラーイコライズカラーの規範に符合し、ゆえに、被測定ディスプレイ４０が表示する画像パターンのカラーはいずれもリアルカラーイコライズカラーの規範に符合するものとなり、即ちそのカラーはいずれも統一され、ゆえに周知のカラー不一致の欠点を発生しない。そのうち、リアルカラーイコライズカラーパラメータは延伸表示識別データ（ＥＤＩＤ）中に保存される。
【００１５】
被測定ディスプレイ４０が上述のリアルカラーイコライズカラーパラメータの更正を完成した後、使用者は本発明のカラーディスプレイのリアルカラーイコライズ検出方法を使用してリアルカラーイコライズカラーの規範に符合するか否かを確定でき、ゆえに本発明のカラーディスプレイのリアルカラーイコライズ検出方法と生産方法は相似であり、ゆえにそのうちの異なるところについて説明を行なう。本発明のカラーディスプレイのリアルカラーイコライズ検出方法は以下のとおりである。
ステップＳ５０：  システム初期化。サーバー１０がリセット信号を出力して画像キャプチャ装置３０及び画像パターンジェネレータ３２を初期化する。
ステップＳ５１：  画像パターンジェネレータ３２が画像パターン信号を被測定ディスプレイ４０に出力する。被測定ディスプレイ４０は画像パターン信号を受け取ると、ディスプレイパネル４４に該画像パターン信号に対応する画像パターンを表示させる。
ステップＳ５２：  被測定ディスプレイ４０の表示した画像パターンを検出してカラーデータをキャプチャする。
ステップＳ５３：  画像パターン信号の電圧準位が最大値かを判断する。成立すればステップＳ５５を実行する。
ステップＳ５４：  画像パターン信号の電圧準位を増す。
ステップＳ５５：  カラーデータが白色ブロックに対応するかを判断し、成立すればステップＳ５７を実行する。
ステップＳ５６：  画像パターン信号を変更する。
ステップＳ５７：  カラーデータをリアルカラーイコライズカラーパラメータに変換する。
ステップＳ５８：  リアルカラーイコライズカラーパラメータが特定カラーパラメータに等しいかを判断し、成立すればステップＳ６０を実行する。被測定ディスプレイ４０のメモリ４６にすでに一組のリアルカラーイコライズカラーパラメータ（特定カラーパラメータ）が保存されているため、被測定ディスプレイ４０が本発明のリアルカラーイコライズ検出ステップを実行する時、ＣＰＵ１２もまたもう一組のリアルカラーイコライズカラーパラメータを計算し、並びにこのリアルカラーイコライズカラーパラメータと特定カラーパラメータを比較し、もし二組のパラメータが同じ（或いは一定の許容誤差範囲内にある）時、被測定ディスプレイ４０の表示するカラーをリアルカラーイコライズカラーの規範に符合することになり、これによりステップＳ６０を実行する。反対にリアルカラーイコライズカラーの規範に符合しない時は、ステップＳ５９を実行する。
ステップＳ５９：  エラー情報を表示する。モニタ２０が検出方法或いは生産方法を実行する過程中に発生するエラー情報或いはその他の指示情報を表示するのに用いられる。もし被測定ディスプレイ４０の表示結果（もう一組のリアルカラーイコライズカラーパラメータ）と設定結果（特定カラーパラメータに対応）の間に差異がある時、これは特定カラーパラメータが錯誤であるか或いは被測定ディスプレイ４０が不良品であって正確にカラー表示が行なえないことことを表示し、検出員により修理を行ない、ゆえに検出員はモニタ２０がエラー情報を表示するか否かにより被測定ディスプレイ４０が正常であるか否かを判断する。
ステップＳ６０：  終了。
【００１６】
本発明はリアルカラーイコライズカラーの規範に符合する被測定ディスプレイ４０を生産する一種のカラーディスプレイのリアルカラーイコライズ生産システムを提供し、並びに本発明のカラーディスプレイのリアルカラーイコライズ生産方法によりリアルカラーイコライズカラーパラメータを被測定ディスプレイ４０中に保存し、並びに本発明のカラーディスプレイのリアルカラーイコライズ検出方法を組み合わせて被測定ディスプレイ４０に対してカラー表示の検出を行ない、被測定ディスプレイ４０がいずれもリアルカラーイコライズカラーの規範に符合するようにする。
【００１７】
以上の実施例は本発明の説明のために提示したものであり、本発明の実施範囲を限定するものではなく、本発明に基づきなしうる細部の修飾或いは改変は、いずれも本発明の請求範囲に属するものとする。
【図面の簡単な説明】
【００１８】
【図１】本発明のカラーディスプレイのリアルカラーイコライズ生産システムの表示図である。
【図２】本発明のカラーディスプレイのリアルカラーイコライズ生産システムのブロック図である。
【図３】本発明のカラーディスプレイのリアルカラーイコライズ生産方法のフローチャートである。
【図４】本発明のカラーディスプレイのリアルカラーイコライズ検出方法のフローチャートである。
【符号の説明】
【００１９】
１０  サーバー                  １２  ＣＰＵ
１４  第２接続インタフェース    １６  第１接続インタフェース
１８  記録器接続インタフェース
２０  モニタ    ３０  画像キャプチャ装置
３２  画像パターンジェネレータ  ３４  記録器
４０  被測定ディスプレイ        ４２  マイクロプロセッサ
４４  ディスプレイパネル        ４６  メモリ
【図１】
2005176289.tif 000003
【図２】
2005176289.tif 000004
【図３】
2005176289.tif 000005
【図４】
2005176289.tif 000006